(57)【要約】【課題】  ゴミ収集庫を折り畳んだときに、奥行きの長さを可能な限り小さくして、通行の邪魔をしないようにする。【解決手段】  板収納箱１２の前面にゴミ収納部１を設け、ゴミ収納部は、その左側は左側板４と左前板２で形成し、その右側は右側板５と右前板３で形成し、左側板４は板収納箱１２と左前板２に対して回動自在とし、右側板５は板収納箱１２と右前板３に対して回動自在に取付け、右側板４と右前板３、左側板４と左前板２が夫々開いた状態で板収納箱１２内に収納する。【選択図】    図４                                                    
2005225599.tif 000002
【特許請求の範囲】
【請求項１】
板収納箱の前面にゴミ収納部を設け、ゴミ収納部は、その左側は左側板と左前板で形成し、その右側は右側板と右前板で形成し、左側板は板収納箱と左前板に対して回動自在とし、右側板は板収納箱と右前板に対して回動自在に取付け、右側板と右前板、左側板と左前板が夫々開いた状態で板収納箱内に収納される折り畳み式ゴミ収納庫。
【請求項２】
ゴミ収納部の上に蓋を開閉自在に取付けた請求項１に記載の折り畳み式ゴミ収納庫。
【請求項３】
板収納箱に蓋支持体を設けた請求項２に記載の折り畳み式ゴミ収納庫。
【請求項４】
蓋が板収納箱の前面に垂下するごとく板収納箱に取付けた請求項２または３に記載の折り畳み式ゴミ収納庫。
【発明の詳細な説明】
【技術分野】
【０００１】
一般家庭は勿論、商店や工場等で用いることのできる折り畳み式のゴミ収集庫に関する。
【背景技術】
【０００２】
折り畳み式のゴミ収集ケースを、使用時には、折り畳まれていたゴミ収集ケースを拡げてゴミの収集を行い、使用しない時にはそれを折り畳んで通行の邪魔をしないようにし、スペースをとらず小型化にするもの（例えば特許文献１）が知られているが、それは折り畳んでも奥行きが大きく、これを更に小さくしなければならないという問題があった。
【特許文献１】特開２００２−２１１７０１号（図４）
【発明の開示】
【発明が解決しようとする課題】
【０００３】
本発明は、従来の折り畳み式のゴミ収集ケースがもつ欠点であるところの、折り畳み時の奥行き長さを更に小さくして場所をとらず、かつ通行の邪魔をしない折り畳み式のゴミ収集庫を得るところにある。
【課題を解決するための手段】
【０００４】
本発明は、板収納箱の前面にゴミ収納部を設け、ゴミ収納部は、その左側は左側板と左前板で形成し、その右側は右側板と右前板で形成し、左側板は板収納箱と左前板に対して回動自在とし、右側板は板収納箱と右前板に対して回動自在に取付け、右側板と右前板、左側板と左前板が夫々開いた状態で板収納箱内に収納される折り畳み式ゴミ収納庫からなり、その場合、ゴミ収納部の上に蓋を開閉自在に取付けたり、板収納箱上に蓋支持体を設けたり、さらには蓋が板収納箱の前面に垂下するごとく板収納箱に取付けた構成からなる。
【発明の効果】
【０００５】
本発明は、ゴミ収納部のうしろ側に設けた板収納箱の中に、ゴミ収納部を構成する左右の側板と左右の前板を、夫々左の側板と前板を、また右の側板と前板を夫々拡げてほぼ直線状にして収納できるので、収納時の奥行き長さを小さくすることができ、通行の邪魔をせず、保管スペースも小さくてすむことができる。
【０００６】
そしてそれらの収納作業は、只単に左右の前板を板収納箱の方に移動するだけですみ、ゴミを収納しようとする時は、単に左右の前板を手前の方に引き出すだけでよいので、作業が簡単であり、製作も容易であり、安価に製作できる。
【０００７】
また、折り畳んだ状態で蓋をただ単に下方に垂下するだけで折り畳んだ状態の前蓋の役目も達成できるところから簡易ゴミ収納庫としての役目を果たすことができる。
【発明を実施するための最良の形態】
【０００８】
本発明の折り畳み式ゴ収集納庫は、組立てて使用する状態を図１〜図３で示し、その折り畳み方法を示すのが図４、図５であり、折り畳んだ状態を図６、図７が示している。
【０００９】
ゴミを収納するゴミ収納部１は、図４から明らかなように、その前面は左前板２と右前板３から形成し、その両者はかんぬき６で連結されている。そしてその側面は左側板４と右側板５からなり、その後面には背面板１６が用いられる。
【００１０】
したがってゴミ収納部１は、前側は左前板２と右前板３からなり、側方は左側板４と右側板５からなる。そのうしろ側は背面板１６により形成され、それらの各板により四角状のゴミ収納部１が形成される。そのゴミ収納部１の上には蓋が設けてあり、その蓋は左蓋７および右蓋８からなり、それらの蓋はうしろ側に設けた板収納箱１２の上横枠２０に上下方向に回動自在に取付けられ、それらの蓋を開いた状態を図４で示しており、上方に開かれた左右の蓋７，８は蓋支持体１０により支持され、開いた状態を維持することができるようになっている。
【００１１】
なお、上記の板収納箱１２は図７に示すように、左右の横板９，９と、背面板１６および上面板１１により囲まれて固定的に形成されている。したがって、この折り畳み式ゴミ収集庫のうしろ側に、後記するが、折り畳んだ左右前板２，３と左右側板４，５を収納するために板収納箱１２が設けてあり、それは左右の横板９と背面板１６、そして上面の上面板１１から形成され、それらにより囲まれた内部空間を形成する。
【００１２】
かゝる構造からなる本発明のゴミ収納庫を折り畳む手順を以下説明する。
【００１３】
先ず左右の蓋７，８のハンドル１５，１５を持ち上げてそれらの蓋が蓋支持体１０に寄りかかるように支持される。次いで、左右の前板２，３を連結しているかんぬき６を外して両者の連結を解除する。そして右側板５は右側の板収納箱１２の横板９および右前板３とは夫々回動自在に回転金具で連結しているから、右前板３のハンドル１７をつかんで背面板１６の方に押し込むと、右側板５の枠体の下端に設けたキャスター１８が回転しながら図５に示すように右側板５と右前板３が板収納箱１２の中に、その両板５，３が図７に示すようにほぼ直線状に、つまり両板５，３が開いた状態で入りこみ収納される。
【００１４】
次いで左側についても右側と同様の方法により図５に示すように、左前板２と左側板４を動かし、図７に示すように両者を伸ばすようにして、板収納箱１２内に定置させる。そして図６に示すように左右の蓋７，８を前側に倒して折り畳んだ状態において前側の蓋の役目をし、折り畳みが終了し、近くの壁面にゴミ収納庫を立て掛けることによりコンパクトに収集庫を納めることができる。
【００１５】
以上の説明で本発明のゴミ収集庫の折り畳み方法およびその構造は明らかであるが、ここで更に細部につき説明する。
【００１６】
本発明で用いる沢山の板は、一般には網状体が好ましいが単なる板でもよいし、板にパンチングしたものでもよい。そしてそれに使用する材料は鋼製、アルミ製、ステンレス製、プラスチック製および木製等適宜選択使用ができる。
【００１７】
また、それらの板のまわりにはパイプや棒状、角管状の骨組を配置して補強し、それらの材料は耐久性があればどのような材料を用いてもよい。またそれらの骨組は、隣接する他の骨組と回動自在に取付ける必要があるが、その場合には一般に用いられる回転金具を用いる。例えば回転バンドや蝶番等を用いることができる。
【００１８】
またそれらの板、つまり網状体、多孔体等からなる板には、補強のために図２、図４の左右の前板２，３に取付けたような補強体１９を用いるとよい。またさらに、本発明のゴミ収集庫には一般には床面を用いないが、必要な場合には床板を用いてキャスターの回転をしやすくするようにしてもよい。
【図面の簡単な説明】
【００１９】
【図１】本発明のゴミ収集庫の平面図である。
【図２】本発明のゴミ収集庫の正面図である。
【図３】本発明のゴミ収集庫の右側面図である。
【図４】本発明のゴミ収集庫の蓋を開いたところを示す斜視図である。
【図５】本発明のゴミ収集庫を折り畳みつつあるところを示す斜視図である。
【図６】本発明のゴミ収集庫の折り畳みが完了して蓋を降ろした状態の斜視図である。
【図７】本発明のゴミ収集庫を折り畳んだ状態を示す平面図である。
【符号の説明】
【００２０】
１    ゴミ収納部                ７    左蓋
２    左前板                    ８    右蓋
３    右前板                  １０    蓋支持体
４    左前板                  １２    板収納箱
５    右側板
【図１】
2005225599.tif 000003
【図２】
2005225599.tif 000004
【図３】
2005225599.tif 000005
【図４】
2005225599.tif 000006
【図５】
2005225599.tif 000007
【図６】
2005225599.tif 000008
【図７】
2005225599.tif 000009
【手続補正書】
【提出日】平成16年2月19日(2004.2.19)
【手続補正１】
【補正対象書類名】明細書
【補正対象項目名】００２０
【補正方法】変更
【補正の内容】
【００２０】
１    ゴミ収納部                ７    左蓋
２    左前板                    ８    右蓋
３    右前板                  １０    蓋支持体
４    左側板                  １２    板収納箱
５    右側板
【手続補正２】
【補正対象書類名】図面
【補正対象項目名】図２
【補正方法】変更
【補正の内容】
【図２】
2005225599.tif 000010